(57)【要約】【課題】カメラ１４０の回転角を自動的に且つ容易に調節できるモバイル通信装置のカメラ組立体１００を提供する。【解決手段】モバイル通信装置の一方側に回転自在に結合されたカメラと、カメラを回転させるカメラ回転部１５０と、カメラ回転部を制御する制御部Ｃと、を含み、好ましくは、カメラは、モバイル通信装置の本体側ヒンジ部３１に回転自在に装着されたカメラケース１４１と、カメラケースの内部に収容されたカメラモジュール１４２と、から構成され、好ましくは、カメラ回転部は、ハウジング１５１と、ハウジングに内蔵されて回転力を発生するギヤードモータ１５２と、ギヤードモータが発生した回転力を減速してカメラを回転する減速器１５３と、から構成される。【選択図】図２
2004320782.tif 000002
【特許請求の範囲】
【請求項１】
モバイル通信装置の一方側に回転自在に結合されたカメラと、
前記カメラを回転させるカメラ回転部と、
前記カメラ回転部を制御する制御部と、を含んで構成されることを特徴とするモバイル通信装置のカメラ組立体。
【請求項２】
前記カメラは、
前記モバイル通信装置の本体側ヒンジ部に回転自在に装着されたカメラケースと、
前記カメラケースの内部に収容されたカメラモジュールと、から構成されることを特徴とする請求項１記載のモバイル通信装置のカメラ組立体。
【請求項３】
前記カメラケースの一方側には、ＦＰＣＢ（Ｆｌｅｘｉｂｌｅ  Ｐｒｉｎｔｅｄ  Ｃｉｒｃｕｉｔ  Ｂｏａｒｄ）収容部が形成されることを特徴とする請求項２記載のモバイル通信装置のカメラ組立体。
【請求項４】
前記カメラ回転部は、
ハウジングと、
前記ハウジングに内蔵されて回転力を発生するギヤードモータと、
前記ギヤードモータが発生した回転力による回転速度を減速して前記カメラを回転する減速器と、から構成されることを特徴とする請求項１記載のモバイル通信装置のカメラ組立体。
【請求項５】
前記ギヤードモータ及び前記減速器は、各々の軸が同一線上に配列されることを特徴とする請求項４記載のモバイル通信装置のカメラ組立体。
【請求項６】
前記カメラ回転部は、前記モバイル通信装置の本体側ヒンジ部の内部に切削形成されたヒンジ溝に挿合され、固定リングによって固定されることを特徴とする請求項１記載のモバイル通信装置のカメラ組立体。
【請求項７】
前記減速器は、
前記ギヤードモータが発生した回転力による回転速度を減速してカメラに伝達するために、ギヤードモータ軸に具備された駆動ギヤーと、
前記駆動ギヤーに接して所定比に減速回転する減速ギヤーと、
前記減速ギヤーにより減速された回転力をカメラに伝達する減速回転軸と、
回転力を伝達するために、前記駆動ギヤーと減速ギヤーの間に配置された伝達ギヤーと、から構成されることを特徴とする請求項４記載のモバイル通信装置のカメラ組立体。
【請求項８】
前記ギヤードモータから、リードワイヤーが引き出されることを特徴とする請求項４記載のモバイル通信装置のカメラ組立体。
【請求項９】
前記ギヤードモータには、第１接続端子が装着され、本体側ヒンジ部には、前記第１接続端子に対応する第２接続端子が装着されることを特徴とする請求項４記載のモバイル通信装置のカメラ組立体。
【請求項１０】
前記減速回転軸には、摩擦板が形成されることを特徴とする請求項７記載のモバイル通信装置のカメラ組立体。
【請求項１１】
前記摩擦板には、ステッピング凸部が突出形成され、前記カメラには、前記ステッピング凸部に対応するステッピング凹部が切削形成されることを特徴とする請求項１０記載のモバイル通信装置のカメラ組立体。
【請求項１２】
前記ステッピング凸部及びステッピング凹部は、半球状に形成されることを特徴とする請求項１１記載のモバイル通信装置のカメラ組立体。
【請求項１３】
モバイル通信装置の一方側に回転自在に結合されたカメラと、
前記カメラを回転させるために、前記カメラの回転軸と平行な回転軸を有するように配置されたギヤードモータ、及び前記ギヤードモータが発生した回転力を減速して前記カメラを回転する減速器により構成されたカメラ回転部と、
前記カメラ回転部を制御する制御部と、を含んで構成されることを特徴とするモバイル通信装置のカメラ組立体。
【請求項１４】
前記カメラの一方側には、ＦＰＣＢ収容部が形成されることを特徴とする請求項１３記載のモバイル通信装置のカメラ組立体。
【請求項１５】
前記カメラ回転部は、前記モバイル通信装置の本体側ヒンジ部の内部に切削形成されたヒンジ溝に挿合され、固定リングによって固定されることを特徴とする請求項１３記載のモバイル通信装置のカメラ組立体。
【請求項１６】
前記減速器は、
前記ギヤードモータが発生した回転力による回転速度を減速してカメラに伝達するために、ギヤードモータ軸に具備された駆動ギヤーと、
前記駆動ギヤーに間接的に接して所定比に減速回転する減速ギヤーと、
前記減速ギヤーにより減速された回転力を前記カメラに伝達する減速回転軸と、
前記ギヤードモータからの回転力を伝達するために、前記駆動ギヤーと減速ギヤー間に配置された伝達ギヤーと、から構成されることを特徴とする請求項１３記載のモバイル通信装置のカメラ組立体。
【請求項１７】
前記ギヤードモータからは、リードワイヤーが引き出されることを特徴とする請求項１３記載のモバイル通信装置のカメラ組立体。
【請求項１８】
前記ギヤードモータには、第１接続端子が装着され、本体側ヒンジ部には、前記第１接続端子に対応する第２接続端子が装着されることを特徴とする請求項１３記載のモバイル通信装置のカメラ組立体。
【請求項１９】
前記減速回転軸には、カメラが直結されることを特徴とする請求項１６記載のモバイル通信装置のカメラ組立体。
【発明の詳細な説明】
【技術分野】
【０００１】
本発明は、カメラ組立体に係り、より詳しくは、モバイル通信装置のヒンジ部に回転自在に装着されるモバイル通信装置のカメラ組立体に関するものである。
【背景技術】
【０００２】
最近、モバイル通信装置（Ｍｏｂｉｌｅ  Ｃｏｍｍｕｎｉｃａｔｉｏｎ  Ｄｅｖｉｃｅ）は、単純に音声やデータを伝送する機能だけでなく、マルチメディア及びインターネットの機能をも提供している。且つ、モバイル通信装置は、カメラを具備することで、このカメラにより撮影された映像イメージを送受信することもできる。
【０００３】
一般に、モバイル通信装置は、カメラの装着位置に従って、本体装着型、ホルダー装着型及びヒンジ装着型に大別されるが、これらの内、ヒンジ装着型は、カメラの回転角（撮影角）をより広く確保できるので、最も多く使用されている。
例えば特許文献１には、ヒンジ装着型の一種であって、カメラのレンズの軸方向がヒンジの軸方向に固定されている場合の技術が開示されている。
【０００４】
以下、ヒンジ装着型モバイル通信装置に対して説明する。
ここで、モバイル通信装置とは、モバイルテレフォン（Ｍｏｂｉｌｅ  ｔｅｌｅｐｈｏｎｅｓ）、セルラーフォン（Ｃｅｌｌｕｌａｒ  ｔｅｌｅｐｈｏｎｅｓ）、個人通信システム（Ｐｅｒｓｏｎａｌ  Ｃｏｍｍｕｎｉｃａｔｉｏｎ  Ｓｙｓｔｅｍｓ：ＰＣＳ）、ＰＤＡ（Ｐｅｒｓｏｎａｌ  Ｄａｔａ  Ａｓｓｉｓｔａｎｔ）装置、ラップトップコンピュータ及び無線通信機能を有する他の装置を含んでいる。
【０００５】
図１６は従来モバイル通信装置のホルダーの閉鎖状態を示した斜視図、図１７は従来モバイル通信装置のホルダーの開放状態を示した斜視図である。
【０００６】
図示したように、従来のモバイル通信装置は、選択ボタン１２が装着された本体１０と、ヒンジ３０により本体１０に回転自在に軸支されたホルダー２０と、ヒンジ３０に装着されたカメラ組立体４０と、を含んで構成されている。
【０００７】
又、ヒンジ３０は、本体１０から延長形成された二つの本体側ヒンジ部３１と、ホルダー２０から延長形成されて、それら二つの本体側ヒンジ部３１間に装着されるホルダー側ヒンジ部３２と、から構成される。
【０００８】
又、カメラ組立体４０は、本体側ヒンジ部３１に挿合されて回転自在に装着されるが、このとき、使用者が所望の画像を得るためには、カメラ組立体４０を所定の角度に自由に回転しなければならない。
【０００９】
【特許文献１】特開２００３−３０９７５６号公報
【発明の開示】
【発明が解決しようとする課題】
【００１０】
然るに、従来モバイル通信装置においては、カメラ組立体４０の回転角を調整する場合、使用者が手動でカメラ組立体４０を所望の方向に回転しなければならないので、使用するのに取り扱いが煩雑であるという問題点があった。
【００１１】
又、モバイル通信装置の小型化に伴い、このモバイル通信装置に付着されるカメラ組立体も徐々に小型化されているため、使用者が小型化されたカメラ組立体を手動で調節することが困難であるという問題点があった。
【００１２】
本発明は、このような従来の問題点に鑑みてなされたもので、カメラの回転角を自動的に且つ容易に調節できるモバイル通信装置のカメラ組立体を提供することを目的とする。
【課題を解決するための手段】
【００１３】
このような目的を達成するため、本発明に係るモバイル通信装置のカメラ組立体は、モバイル通信装置の一方側に回転自在に結合されたカメラと、前記カメラを回転させるカメラ回転部と、前記カメラ回転部を制御する制御部と、を含んで構成されることを特徴とする。
【００１４】
又好ましくは、前記カメラは、前記モバイル通信装置の本体側ヒンジ部に回転自在に装着されたカメラケースと、前記カメラケースの内部に収容されたカメラモジュールと、から構成されることを特徴とする。
【００１５】
又好ましくは、前記カメラ回転部は、ハウジングと、前記ハウジングに内蔵されて回転力を発生するギヤードモータと、前記ギヤードモータが発生した回転力による回転速度を減速して前記カメラを回転する減速器と、から構成されることを特徴とする。
【発明の効果】
【００１６】
本発明に係るモバイル通信装置のカメラ組立体によれば、使用者の選択によって手動或いは自動で且つ容易にカメラの回転角を調整し得るという効果がある。
【００１７】
又、カメラの側面に形成されたＦＰＣＢ収容部を利用することで、カメラをモバイル通信装置に一層堅固に装着すると共に、ＦＰＣＢ収容部の内部にＦＰＣＢを収容することで、このＦＰＣＢの破損を防止し得るという効果がある。
【発明を実施するための最良の形態】
【００１８】
以下、本発明の実施の形態について、図面を参照して説明する。
【実施例１】
【００１９】
図１は本発明に係るモバイル通信装置のホルダーの開放状態を示した斜視図、図２は図１の“Ａ”部拡大図で、本発明に係るモバイル通信装置のカメラ組立体の第１実施形態を示した断面図、図３は本発明に係るモバイル通信装置のカメラ組立体の第１実施形態のカメラとカメラ回転部と電源供給部との結合状態を示した斜視図、図４は本発明に係るモバイル通信装置のカメラ組立体の第１実施形態の本体に装着されるカメラを示した背面斜視図、図５は図２の要部抜粋図、図６は図５のＶＩＩＩ−ＶＩＩＩ線断面図である。
【００２０】
図１〜図６に示したように、本発明に係るモバイル通信装置は、本体１０と、ヒンジ３０によって前記本体１０に回転自在に軸支されたホルダー２０と、ヒンジ３０に回転自在に装着されたカメラ組立体１００と、を含んで構成されている。
【００２１】
又、本体１０は、カメラ組立体１００により撮影された映像情報を保存及び送受信するメインＰＣＢ１１と、このメインＰＣＢ１１に隣接して装着された複数のボタン１２と、から構成される。
【００２２】
又、ヒンジ３０は、本体１０から延長形成された二つの本体側ヒンジ部３１と、ホルダー２０から延長形成されて、それら二つの本体側ヒンジ部３１間に装着されたホルダー側ヒンジ部３２と、から構成される。
【００２３】
又、ホルダー２０は、カメラ１４０を通して入力された映像情報を表示するＬＣＤ２２と、このＬＣＤ２２に装着されたサブＰＣＢ２１と、このサブＰＣＢ２１とメインＰＣＢ１１とを連結するＬＣＤ用ＦＰＣＢ（Ｆｌｅｘｉｂｌｅ  Ｐｒｉｎｔｅｄ  Ｃｉｒｃｕｉｔ  Ｂｏａｒｄ）１４と、から構成される。
【００２４】
又、カメラ用ＦＰＣＢ１３は、その一方端が本体１０の内部のメインＰＣＢ１１に連結され、その他方端は後述するカメラモジュール１４２に連結されている。
【００２５】
ここで、カメラ組立体１００が回転すると、カメラモジュール１４２に連結されたカメラ用ＦＰＣＢ１３が引き寄せられるが、このカメラ用ＦＰＣＰ１３は、切断されないように本体側ヒンジ部３１の内部に１回以上巻き回されている。
【００２６】
又、カメラ組立体１００は、ヒンジ３０に自動又は手動で回転自在に装着されたカメラ１４０と、このカメラ１４０を回転させるために、カメラ１４０の側面に装着されたカメラ回転部１５０と、このカメラ回転部１５０を制御する制御部Ｃと、から構成される。
【００２７】
又、カメラ１４０は、本体側ヒンジ部３１の一方側に回転自在に装着された円筒状のカメラケース１４１と、このカメラケース１４１に収容されて被写体を撮影するレンズ１４２ａを備えたカメラモジュール１４２と、から構成される。
【００２８】
且つ、カメラ１４０は、本体側ヒンジ部３１の一方側に挿合されると共に、その内部にカメラ用ＦＰＣＢ１３が巻き回されたＦＰＣＢ収容部１４３が形成される。
【００２９】
又、カメラ回転部１５０は、本体側ヒンジ部３１の中間に切削形成されたヒンジ溝３１ａに挿合されて、固定リング１３５により固定される。且つ、カメラ回転部１５０からは、電源供給部の役割をするリードワイヤー１１７が引き出されている。
【００３０】
図７はカメラ回転部を示した縦断面図、図８は図７の減速器を示した斜視図で、図７及び図８に示したように、カメラ回転部１５０は、ハウジング１５１と、制御部（図２参照）Ｃの電気的制御信号によって回転力を発生するために、ハウジング１５１の内部に装着されたギヤードモータ１５２と、このギヤードモータ１５２により発生された回転を減速してカメラ（図２参照）１４０を減速回転するために、ギヤードモータ１５２に対して各々の軸が同一線上に配置された減速器１５３と、から構成される。
【００３１】
又、減速器１５３は、ギヤードモータ１５２が発生した回転力による回転速度を減速してカメラ１４０に伝達するために、ギヤードモータ軸１５２ａに具備された駆動ギヤー１５３ａと、この駆動ギヤー１５３ａに接して所定比に減速回転する減速ギヤー１５３ｂと、この減速ギヤー１５３ｂによって減速された回転力をカメラ１４０に伝達する減速回転軸１５３ｃと、動力を伝達するために駆動ギヤー１５３ａと減速ギヤー１５３ｂ間に位置された伝達ギヤー１５３ｄと、から構成される。
【００３２】
又、伝達ギヤー１５３ｄは、ブラケット１５３ｆにより支持されて、回転軸１５３ｅを中心に回転される。よって、ギヤードモータ１５２が発生した回転力は、駆動ギヤー１５３ａ、伝達ギヤー１５３ｄ及び減速ギヤー１５３ｂを順次経た後、減速回転軸１５３ｃを通して出力される。
【００３３】
ここで再び図５を参照すると、減速回転軸１５３ｃの端部には、複数のステッピング凸部１５４ａを有する摩擦板１５４が形成され、カメラ１４０のカメラケース１４１には、ステッピング凸部１５４ａに対応する複数のステッピング凹部１５４ｂが切削形成されている。このとき、ステッピング凸部１５４ａ及びステッピング凹部１５４ｂは、全て半球状に形成される。
【００３４】
ここで、カメラ１４０の回転角を調節する場合、ステッピング凸部１５４ａとステッピング凹部１５４ｂとが係合されているので、ギヤードモータ１５２の動力を受けたカメラ回転部１５０の減速回転軸１５３ｃによりカメラ１４０が回転する。
【００３５】
その反面、カメラ１４０の回転角を手動で調節する場合、カメラ回転部１５０のギヤードモータ１５２がオフになった状態で、使用者がカメラ１４０を所望の方向に回すと、ステッピング凸部１５４ａが隣接するステッピング凹部１５４ｂに順次係合されて摩擦力が発生する。その際、減速回転軸１５３ｃは後方に弾力的に後退する。次いで、カメラ１４０を所定角度回転させた後停止させると、ステッピング凸部１５４ａとステッピング凹部１５４ｂとの係合状態を維持することで、カメラ１４０の回転角が使用者所望の角度に維持される。
【００３６】
以下、このように構成された本発明に係るモバイル通信装置のカメラ組立体の動作に対し、図１〜図８に基づいて説明する。
【００３７】
まず、カメラ１４０の回転角を自動で調整する場合、本体１０に装着されたボタン１２の操作により、リードワイヤー１１７を通してギヤードモータ１５２に電源が供給されることで、ギヤードモータ軸１５２ａが回転する。
【００３８】
次いで、ギヤードモータ１５２の回転力は、ギヤードモータ軸１５２ａを通して減速器１５３の駆動ギヤー１５３ａ、伝達ギヤー１５３ｄ及び減速ギヤー１５３ｂを経た後、所定比に減速された状態で減速回転軸１５３ｃに伝達される。
【００３９】
次いで、摩擦板１５４、ステッピング凸部１５４ａ及びステッピング凹部１５４ｂによってカメラ回転部１５０の減速回転軸１５３ｃが回転することで、カメラ１４０の回転角が自動的に調節される。
【００４０】
その反面、カメラ１４０の回転角を手動で調整する場合、カメラ回転部１５０のギヤードモータ１５２がオフになった状態で、使用者がカメラ１４０を所望の方向に回すと、ステッピング凸部１５４ａが隣接するステッピング凹部１５４ｂに順次、離脱・係合される。その際、ギヤードモータ１５２がオフ状態を維持しているので、減速回転軸１５３ｃ及び摩擦板１５４は回転せずに停止している。
【００４１】
又、ステッピング凸部１５４ａがステッピング凹部１５４ｂに順次、離脱・係合されると、摩擦力によりクリック音が発生することで、カメラ１４０の段階的な回転状態を知ることができる。ここで、使用者がカメラ１４０を放置しても、ステッピング凸部１５４ａとステッピング凹部１５４ｂとの係合状態が維持されるので、カメラ１４０の回転角が任意に変化せず一定に維持される。
【実施例２】
【００４２】
図９は図１の“Ａ”部拡大図で、本発明に係るモバイル通信装置のカメラ組立体の第２実施形態を示した断面図、図１０は図９の要部抜粋図である。
【００４３】
図示したように、本発明に係るモバイル通信装置のカメラ組立体の第２実施形態においては、カメラ２４０のカメラケース２４１にＦＰＣＢ収容部（図２参照）が形成されず、カメラ用ＦＰＣＢ１３がカメラモジュール２４２に直結されている。
【００４４】
又、カメラ回転部２５０の減速回転軸２５３ｃがカメラ２４０に固定され、カメラ回転部２５０の内部の減速器（図示せず）は、減速比率が１２５：１程度に非常に低く構成されている。
【００４５】
ここで、カメラ２４０の回転角を自動で調節する場合、カメラ回転部２５０の減速回転軸２５３ｃがカメラ２４０に固定されているため、カメラ２４０は、カメラ回転部２５０の減速回転軸２５３ｃにより使用者所望の角度に回転される。
【００４６】
且つ、カメラ２４０の回転角を手動で調節する場合、カメラ回転部２５０の減速器の減速比率が低いため、使用者がカメラ２４０を所望の方向に回すと、カメラ２４０と減速回転軸２５３ｃとが一緒に所定角回ることで、カメラ２４０の回転角が調整される。
【実施例３】
【００４７】
図１１は本発明に係るモバイル通信装置のカメラ組立体の第３実施形態における、カメラとカメラ回転部と電源供給部との結合状態を示した斜視図、図１２は前記カメラ回転部が本体に装着されている状態を示した背面斜視図である。
【００４８】
図示したように、本発明に係るモバイル通信装置のカメラ組立体の第３実施形態は、カメラ回転部３５０に電源供給部の役割をする第１接続端子３５３が装着され、これに対応して本体側ヒンジ部３１に第２接続端子３５４が装着されている。図中、符号１３はＦＰＣＢ、３４０はカメラ、３４３はＦＰＣＢ収容部をそれぞれ示したものである。
【実施例４】
【００４９】
以上の実施例１〜３では、カメラとギヤードモータとの、各々の軸が同一線上に配置され、直列に位置しているので、モバイル通信装置の容積が大きくなる。よって、モバイル通信装置の小型化に対応するために、ギヤードモータを前述のように配置せず、ギヤードモータをモバイル通信装置の本体の後方側（バッテリ側）に配置することが好ましい。これについて図１３〜図１５を参照して説明する。
【００５０】
図１３は本発明に係るモバイル通信装置のカメラ組立体の第４実施形態における減速器を示した斜視図、図１４は減速器が本体に装着されている状態を示した背面斜視図、図１５は減速器の内部を示した構成図である。
【００５１】
図示したように、本発明に係るモバイル通信装置のカメラ組立体の第４実施形態では、カメラ４４０がヒンジ３１側に装着され、ギヤードモータ４５２は本体１０の後方側（バッテリ側）に装着され、減速器４５３はカメラ４４０とギヤードモータ４５２の間に装着されている。
【００５２】
又、減速器４５３は、ギヤードモータ４５２が発生した回転力を減速してカメラ４４０に伝達するために、ギヤードモータ軸４５２ａの一方端に具備された駆動ギヤー４５３ａと、この駆動ギヤー４５３ａに間接的に接触する減速ギヤー４５３ｂと、この減速ギヤー４５３ｂにより減速された回転力を利用してカメラ４４０を減速回転させる減速回転軸４５３ｃと、ギヤードモータ４５２の動力を伝達するために、駆動ギヤー４５３ａと減速ギヤー４５３ｂ間に位置する伝達ギヤー４５３ｄと、から構成される。
【００５３】
なお、本発明は上述の実施例に限られるものではなく、本発明の技術的範囲から逸脱しない範囲で多様に変更して実施することが可能である。
【図面の簡単な説明】
【００５４】
【図１】本発明に係るモバイル通信装置のホルダーの開放状態を示した斜視図である。
【図２】図１の“Ａ”部拡大図で、本発明に係るモバイル通信装置のカメラ組立体の第１実施形態を示した断面図である。
【図３】本発明に係るモバイル通信装置のカメラ組立体の第１実施形態のカメラとカメラ回転部と電源供給部との結合状態を示した斜視図である。
【図４】本発明に係るモバイル通信装置のカメラ組立体の第１実施形態の本体に装着されるカメラを示した背面斜視図である。
【図５】図２の要部抜粋図である。
【図６】図５のＶＩＩＩ−ＶＩＩＩ線断面図である。
【図７】カメラ回転部を示した縦断面図である。
【図８】図７の減速器を示した斜視図である。
【図９】図１の“Ａ”部拡大図で、本発明に係るモバイル通信装置のカメラ組立体の第２実施形態を示した断面図である。
【図１０】図９の要部抜粋図である。
【図１１】本発明に係るモバイル通信装置のカメラ組立体の第３実施形態のカメラとカメラ回転部と電源供給部との結合状態を示した斜視図である。
【図１２】本発明に係るモバイル通信装置のカメラ組立体の第３実施形態の本体に装着されるカメラ回転部を示した背面斜視図である。
【図１３】本発明に係るモバイル通信装置のカメラ組立体の第４実施形態の減速器を示した斜視図である。
【図１４】本発明に係るモバイル通信装置のカメラ組立体の第４実施形態の本体に装着される減速器を示した背面斜視図である。
【図１５】本発明に係るモバイル通信装置のカメラ組立体の第４実施形態の減速器の内部を示した構成図である。
【図１６】従来モバイル通信装置のホルダーの閉鎖状態を示した斜視図である。
【図１７】従来モバイル通信装置のホルダーの開放状態を示した斜視図である。
【符号の説明】
【００５５】
１０：本体
１１：メーンＰＣＢ
１２：ボタン
１３：カメラ用ＦＰＣＢ
１４：ＬＣＤ用ＦＰＣＢ
２０：ホルダー
２１：サブＰＣＢ
２２：ＬＣＤ
３０：ヒンジ
３１：本体側ヒンジ部
３１ａ：ヒンジ溝
３２：ホルダー側ヒンジ部
１００：カメラ組立体
１１７：リードワイヤー
１３５：固定リング
１４０、２４０、３４０，４４０：カメラ
１４１、２４１：カメラケース
１４２、２４２：カメラモジュール
１４２ａ：レンズ
１４３、３４３：ＦＰＣＢ収容部
１５０、２５０、３５０：カメラ回転部
１５１：ハウジング
１５２、４５２：ギヤードモータ
１５３、４５３：減速器
１５３ａ、４５３ａ：駆動ギヤー
１５３ｂ、４５３ｂ：減速ギヤー
１５３ｃ、２５３ｃ、４５３ｃ：減速回転軸
１５３ｄ、４５３ｄ：伝達ギヤー
１５３ｅ：回転軸
１５３ｆ：ブラケット
１５４：摩擦板
１５４ａ：ステッピング凸部
１５４ｂ：ステッピング凹部
３５３：第１接続端子
３５４：第２接続端子
Ｃ：制御部
【図１】
2004320782.tif 000003
【図２】
2004320782.tif 000004
【図３】
2004320782.tif 000005
【図４】
2004320782.tif 000006
【図５】
2004320782.tif 000007
【図６】
2004320782.tif 000008
【図７】
2004320782.tif 000009
【図８】
2004320782.tif 000010
【図９】
2004320782.tif 000011
【図１０】
2004320782.tif 000012
【図１１】
2004320782.tif 000013
【図１２】
2004320782.tif 000014
【図１３】
2004320782.tif 000015
【図１４】
2004320782.tif 000016
【図１５】
2004320782.tif 000017
【図１６】
2004320782.tif 000018
【図１７】
2004320782.tif 000019